(57)【特許請求の範囲】
【請求項１】
水平方向の走査速度が調節可能な火源センサと；前記火源センサの視野角を調節する視野角調節手段と；前記火源センサを一覧走査速度で、かつ、所定の視野角で回転させ、目標火源を検出させる高速走査手段と；前記火源センサを一覧走査速度より遅い速度で、かつ、前記所定視野角より小さい視野角で、前記目標火源の近傍を再走査させる低速走査手段と；を備えていることを特徴とする火源位置検出装置。
【発明の詳細な説明】
【０００１】
【発明の属する技術分野】
この発明は、展示場や大ホール等に配設されている火源センサを用いて火源を検出する装置に関するものである。
【０００２】
【従来の技術】
火源センサは、焦電素子等の検出素子を備えており、水平方向に所定角度回転しながら火災監視を行っている。そして、火災が発生し、火源センサが火源を検出すると検出出力を制御盤に送信する。
【０００３】
焦電素子で火源温度を計測する場合、焦電素子の検出出力は小さいので外来ノイズの影響を大きく受ける。そのため、正確な火災情報を得ることが困難であり、誤報や失報の原因となっている。そこで、この問題を解決するため、焦電素子からの検出出力はノイズフィルタを介して制御盤に送信されている。
【０００４】
【発明が解決しようとする課題】
ノイズフィルタを用いると、ノイズは除去されるが、出力の応答性が悪くなる。 即ち、焦電素子の検出出力はノイズフィルタを通ると、出力波形が変化し、所定時間経過後元の出力波形に戻る。この所定時間を出力波形の立ち上がり時間というが、この時間はノイズフィルタの性能等により予め定められている。
【０００５】
そのため、火源が視野角内で測定できる時間、即ち、火源監視可能時間が出力波形の立ち上がり時間より長くなければ正確に火源を検出することができない。また、火源位置を精度よく検出するためには視野角を狭くする必要がある。従って、視野角を狭くして走査する場合には、高速で走査すると、火源を正確に検出できなくなるので、低速にせざるを得ない。しかし、低速走査では、走査完了迄に時間がかかりすぎるので問題である。
【０００６】
この発明は、上記事情に鑑み、迅速に、かつ、正確に火源検出できるようにすることを目的とする。
【０００７】
【課題を解決するための手段】
この発明は、水平方向の走査速度が調節可能な火源センサと；前記火源センサの視野角を調節する視野角調節手段と；前記火源センサを一覧走査速度で、かつ、所定の視野角で回転させ、目標火源を検出させる高速走査手段と；前記火源センサを一覧走査速度より遅い速度で、かつ、前記所定視野角より小さい視野角で、前記目標火源の近傍を再走査させる低速走査手段と；を備えていることを特徴とする火源位置検出装置、である。
【０００８】
【発明の実施の形態】
本発明者は、迅速に、しかも正確に火源を検出するためには、一覧走査速度で走査して目標火源の大体の位置を見つけ、次に前記目標火源の近傍を一覧走査速度より遅い速度で再走査すれば良いことに気がついた。
【０００９】
そこで、一覧走査速度で走査する場合には、火源監視可能時間が、ノイズフィルタからの出力波形立上がり時間より長くなる様な所定の広視野角で高速走査し、又、目標火源の近傍を再走査する場合には、前記広視野角より小さい所定の狭視野角で、かつ、前記一覧走査速度より低速で走査し、前記両走査時における出力レベルを同一にする。
【００１０】
一覧走査速度ＶH（ｒａｄ／ｓ）、出力波形立上り時間ｔ（ｓ）、視野角θH（ｒａｄ）の間には、θH＝ＶH・ｔの関係がある。又、前記事項と、一覧走査速度ＶH（ｓ）より遅い走査速度ＶL（ｓ）の時の出力波形立上り時間ｔ（ｓ）、視野角θL（ｒａｄ）との間には、次の関係が成立する。
θL／（ＶL・ｔ）＝θH／（ＶH・ｔ）
この式を用いて、視野角や走査速度が求められる。尚、時間ｔ（ｓ）は、ノズルフィルタの性能に応じて予め定められている。
【００１１】
一覧走査速度と再走査速度における視野角が異なる場合について説明したが、下記のように該両走査速度における視野角を同一にし、ゲイン補正しても良い。即ち、走査一覧走査速度ＶH（ｒａｄ／ｓ）における火源監視可能時間ＴH（ｓ）がノイズフィルタからの出力波形立ち上がり時間ｔ（ｓ）より短い場合には、出力レベルをゲイン補正をして、一覧走査速度より遅い走査速度ＶL（ｒａｄ／ｓ）における出力レベルと同一にしてもよい。このゲイン補正ＧＨは、火源監視可能時間ＴHと出力波形立ち上り時間ｔ（ｓ）の比、即ち、ＧH＝ｔ／ＴHにより求められる。
【００１２】
【実施例】
この発明の第１実施例を図１〜図５により説明する。図示しない大ホールの隅部上方には火源センサ１付消火ロボットが配設されている。この火源センサ１は、火源の熱線を検出する焦電素子２と、該焦電素子２とノイズフィルタ３を介して連結されたコンピュータ（マイコン）５と、該焦電素子２に対向するレンズ６と、チョッピングを行うチョッパ板８と視野角θを調節する視野角調整板９と、火源センサ１を回転させる水平方向回転手段（図示せず）と、が設けられている。チョッパ板８は、２つの異なる半円板８ａ、８ｂから構成され、モータ１０により回転される。視野角調整板９は、円板の上部を切り欠いた板体であり、モータ１１により回転される。
【００１３】
この火源センサ１は、水平方向Ａ１に回転しながら火源１５を検出している。この時の走査速度は、通常の走査速度Ｖより高速であり、この走査速度を本発明では一覧走査速度ＶHと定義する。
【００１４】
視野角θは、ノイズフィルタ３からの出力波形立ち上り時間ｔ（ｓ）より火源監視可能時間Ｔ（ｓ）が長くなるような広視野角θHが設定される。この視野角θHの求め方については、後記する。間隔の設定後（Ｓ1）、視野角調整板９を回転させ、広視野角θHになる様に調整する（Ｓ2）。
【００１５】
火災が発生し、火源センサ１の焦電素子２が火源１５からの熱線を検出すると（Ｓ3）出力し、その出力はノイズフィルタ３を通ってノイズを除去された後、コンピュータ５に入力される。この時、火源センサ１は広視野角θHに設定されているので、出力レベルは、図４の実線で示す様におだやかな放物線ＳHとなり、その頂点Ｐは火源出力レベルになる。
【００１６】
この様にして、目標火源が検出されると、その位置が記憶されるとともに、走査は続行され一回分のスキャンが終了する（Ｓ4）。
【００１７】
次に、火源センサ１は前記火源目標の記憶位置の近傍に戻るとともに（Ｓ5）、走査速度を前記一覧走査速度ＶH（ｒａｄ／ｓ）より遅い再走査速度ＶL（ｒａｄ／ｓ）に変更し、視野角を該走査速度ＶLに見合った狭視野角θLに変更する（Ｓ6）。この視野角θLは、火源監視可能時間ｔ（ｓ）がノイズフィルタ３からの出力波形立ち上がり時間ｔ（ｓ）より長くなる様に設定される。
【００１８】
視野角θH、θL間には、次の関係が成立する。
θL／ＶL・ｔ＝θH／ＶH・ｔ
この時間ｔは、ノイズフィルタ３の性能によって予め定められているので、上記式を用いて視野角θH、θLを演算で求めたり、又、走査速度ＶH、ＶLを演算で求めることができる。
【００１９】
火源センサ１が、目標火源の近傍を走査速度ＶＬで低速走査すると（Ｓ7）、焦電素子２が火源１５からの熱線を検出して出力し、その出力はノイズフィルタ３を通ってコンピュータ５に入力される。
【００２０】
この時、火源センサ１は狭視野角θLに設定されているので、出力レベルは図４の点線で示す様に、鋭い放物線ＳLを描き、その頂点Ｐは前記一覧走査速度における実線の放物線ＳHの頂点Ｐと一致する。この頂点Ｐの座標が火源１５の位置である（Ｓ8）。
【００２１】
この様にして、火源位置が特定されると、消火ロボットはその位置を制御盤に報知するとともに、モニタノズルを火源１５に向け消火活動を開始する（Ｓ9）。 この消火活動中も火源センサ１は作動しており、該火源センサ１が火源消滅を確認すると（Ｓ10）、制御盤に消火完了信号し消火活動を停止発する（Ｓ11）。
【００２２】
この発明の第２実施例を図５、図６により説明するが、この実施例と第１実施例との相違点は、視野角を変更する代わりに、一覧走査速度時において、火源監視可能時間が出力波形立ち上がり時間ｔよりも短い場合にアンプのゲイン補正をすることである。
【００２３】一覧走査速度ＶHで走査する場合には、所定視野角θ内を監視する時間、即ち、火源監視可能時間ＴH（ｓ）が、ノイズフィルタ３からの出力波形立ち上がり時間ｔ（ｓ）より短い場合には、ゲイン補正ＧＨする。
【００２４】
このゲイン補正値は、ゲイン補正ＧＨ＝ｔ／ＴH、により求められる。このゲイン補正値により検出出力を補正して図５の放物線ＳOになるようにし、同じ火源１５を一覧走査速度より遅い速度で再走査したときにおける出力信号の振幅と同じ値となる様にする。このゲイン補正の方法の１として同一熱源に対して高速と低速の両走査を行い、低速走査時の出力値を基準として高速走査時の出力を補正する方法である。なお、その他の行程は所定視野角で終始スキャンする（Ｓ20）こと以外は全て第１実施例と同様である（Ｓ30〜Ｓ50、Ｓ70〜Ｓ110）。
【００２５】
【発明の効果】
この発明は次の如き顕著な効果を奏する。
（１）一覧走査速度で高速走査した後、目標火源の近傍を低速で再走査するので、従来例に比べ迅速かつ正確に火源の検出をすることができる。
（２）一覧走査速度で、かつ、所定の広視野角で走査した後、目標火源の近傍を一覧走査速度より遅い低速で、かつ、該広視野角より小さい狭視野角で再走査するので、迅速に、かつ正確に火源を検出することができる。
（３）一覧走査速度で、火源目標を検出し、かつ、検出出力をゲイン補正し、目標火源近傍を再走査するので、迅速、かつ正確な火源検出をすることができる。
【図面の簡単な説明】
【図１】  本発明の第１実施例を示す平面図である。
【図２】  視野角調整手段を示す側面図である。
【図３】  フローチャートを示す図である。
【図４】  出力レベルと視野角との関係を示す図である。
【図５】  本発明の第２実施例を示す図で、出力レベルと視野角との関係を示す図である。
【図６】  フローチャートを示す図である。
【符号の説明】
１ 火源センサ
２ 検出素子
３ ノイズフィルタ
１５ 火源
θ 視野角
【図１】
0003876368.tif 000002
【図２】
0003876368.tif 000003
【図３】
0003876368.tif 000004
【図４】
0003876368.tif 000005
【図５】
0003876368.tif 000006
【図６】
0003876368.tif 000007